(57)【要約】【課題】ディスパーザーおよびディスパーザー内に据え付けられるように構成されるディスパーザープレートセグメントを提供すること。【解決手段】ディスパーザープレートセグメントは、歯の列を含み、およびブリッジは、歯の列のうちの少なくとも１つにおける隣接する歯の間の間隙に架かり、ブリッジは、間隙内の開放空間によって前面の基材から分離される。他の例示的な実施形態において、バットレスは、歯を支持するために歯の少なくとも１つの面から延びる。【選択図】図４Ａ
2020070538.tif 000002
【特許請求の範囲】
【請求項１】
プレートセグメントであって、
前側および後側を有する基材であって、前記後側はディスパーザーの支持ディスクに据え付けられるように構成される、基材と、
前記基材の前記前側から突出する歯の列であって、前記列の各々は、前記プレートセグメントの１つの側から前記プレートセグメントの反対側に延びる円弧に沿って配置される、歯の列と、
を含み、
前記歯の列のうちの少なくとも１つにおいて、隣接する歯は、前記隣接する歯の間の間隙に架かるブリッジによって結合され、前記ブリッジは、前記ブリッジが前記間隙内の開放空間によって前面から分離されるように、前記基材の前記前側よりも上に高くされる、プレートセグメント。
【請求項２】
前記ブリッジは、隣接する歯の端部またはその近くに、前記基材の前記前側から離れて存在する、請求項１に記載のプレートセグメント。
【請求項３】
前記ブリッジは、前記隣接する歯の各々の側壁を結合する、請求項１に記載のプレートセグメント。
【請求項４】
前記ブリッジは、前記前側よりも上の前記歯の高度で、前記前側よりも上の前記隣接する歯の高さの全体に対して３分の１の範囲において、前記隣接する歯の前記側壁を結合する、請求項１に記載のプレートセグメント。
【請求項５】
前記ブリッジは、前記隣接する歯の間の前記ブリッジの中点で断面において円形または楕円形形状、前記隣接する歯の間の前記ブリッジの中点で断面において長方形形状、前記隣接する歯の間の前記ブリッジの中点で断面においてテーパー形状、および前記隣接する歯の間の前記ブリッジの中点で断面において涙滴形状、からなる群から選択される形状を有する、請求項１に記載のプレートセグメント。
【請求項６】
前記ブリッジは、前記列のうちの少なくとも１つにおいて前記隣接する歯の各々の間にある、請求項１に記載のプレートセグメント。
【請求項７】
前記ブリッジは、前記隣接する歯の間の第１のブリッジであり、および前記プレートセグメントは、前記隣接する歯の間の第２のブリッジを含み、前記第２のブリッジは、前記基材よりも上の前記第１のブリッジとは異なる高さにある、請求項１に記載のプレートセグメント。
【請求項８】
前記ブリッジは、半径方向最外列にあり、および半径方向内側列は、前記ブリッジを欠く、請求項１に記載のプレートセグメント。
【請求項９】
前記ブリッジは、前記列において隣接する歯の第１の対の間の第１のブリッジであり、および前記プレートセグメントは、前記列において隣接する歯の第２の対の間の第２のブリッジをさらに含み、前記第１のブリッジは、前記第２のブリッジとは異なる高さにある、請求項１に記載のプレートセグメント。
【請求項１０】
前記プレートセグメントは、回転軸の周りを回るように構成され、および前記プレートセグメントは、円弧形状の半径方向内縁および円弧形状の半径方向外縁を含み、および前記プレートセグメントは、それぞれの半径方向線に沿って各々位置合わせされる側縁を有する、請求項１に記載のプレートセグメント。
【請求項１１】
セルロース系繊維質材料を含む流れを受け入れるように構成される入口を含むハウジングと、
ディスクのうちの少なくとも１つは前記ハウジング内部において回転軸の周りを回転するように、前記ハウジング内に据え付けられる対向する前記ディスクと、
を含み、
前記対向するディスクの各々は、前面を有し、および前記対向するディスク上の前記前面は、互いに面しおよび前記対向するディスクの間の間隙によって分離され、
前記対向するディスクの各々は、前記ディスクに対する前記前面上に歯の列を有し、各歯の列における歯は、  前記回転軸から共通半径にあり、
ブリッジは、前記歯の列のうちの少なくとも１つにおいて隣接する歯の間の間隙に架かり、前記ブリッジは、前記間隙内の開放空間によって前記前面の基材から分離され、
前記対向するディスクのうちの第１の対向するディスクの前記前面上の前記歯の列は、前記対向するディスクのうちの第２の対向するディスクの前記前面上の前記歯の列とは異なる半径にあり、および
前記第１の対向するディスクの前記列は、前記第２の対向するディスク上の前記歯の列と噛み合う、機械。
【請求項１２】
前記第１の対向するディスクは、前記回転軸の周りを回転する回転子ディスクであり、および前記第２の対向するディスクは、前記ハウジング内で動かない固定子ディスクである、請求項１１に記載の機械。
【請求項１３】
前記第１および第２の対向するディスクは各々、
シャフトにまたは直接的に前記ハウジングに、のいずれかに据え付けられる支持ディスクであって、前記支持ディスクは据え付け用基材を含む、支持ディスクと、
前記据え付け用基材に対して環状アレイに据え付けられるプレートセグメント、
を含み、前記ディスクに対する前記前面は、前記プレートセグメントの前面によって形成される、請求項１１に記載の機械。
【請求項１４】
前記ブリッジは、前記歯の端部またはその近くに、前記前面の前記基材から離れて存在する、請求項１１に記載の機械。
【請求項１５】
前記ブリッジの各々は、前記隣接する歯の側壁を結合する、請求項１１に記載の機械。
【請求項１６】
前記ブリッジの各々は、前記前面の前記基材よりも上の前記歯の高度で、前記基材よりも上の前記隣接する歯の高さの３０から９０パーセントの範囲において、前記隣接する歯の側壁を結合する、請求項１１に記載の機械。
【請求項１７】
前記ブリッジは、前記隣接する歯の間の前記ブリッジの中点で断面において円形または楕円形形状、前記隣接する歯の間の前記ブリッジの中点で断面において長方形形状、前記隣接する歯の間の前記ブリッジの中点で断面においてテーパー形状、および前記隣接する歯の間の前記ブリッジの中点で断面において涙滴形状、からなる群から選択される形状を有する、請求項１１に記載の機械。
【請求項１８】
前記ブリッジは、前記列のうちの少なくとも１つにおいて隣接する歯の各対の間にある、請求項１１に記載の機械。
【請求項１９】
前記ブリッジは、隣接する歯の対の間に少なくとも２つのブリッジを含む、請求項１１に記載の機械。
【請求項２０】
ブリッジは半径方向最外列にあり、および半径方向内側列はブリッジを欠く、請求項１１に記載の機械。
【請求項２１】
前記ブリッジは、前記列において隣接する歯の第１の対の間に第１のブリッジを、および前記列において隣接する歯の第２の対の間に第２のブリッジを、含み、前記第１のブリッジは、前記第２のブリッジとは異なる高さにある、請求項１１に記載の機械。
【請求項２２】
プレートセグメントであって、
前側および後側を有する基材であって、前記後側はディスパーザーの支持ディスクに据え付けられるように構成される、基材と、
前記基材の前記前側から突出する歯の列であって、前記列は、前記プレートセグメントの第１の横側から前記プレートセグメントの反対の横側に延びる円弧に沿って配置される、歯の列と、
を含み、
前記歯の列における歯は、第１の歯横側および第２の歯横側を有する歯本体に沿って第２の面から遠位に配置される第１の面を有し、および
バットレスは、前記歯の前記第１の面から前記歯の前記第１の面に隣接する前記基材に延びる、プレートセグメント。
【請求項２３】
前記歯の前記第２の面から前記歯の前記第２の面に隣接する前記基材に延びるバットレスをさらに含む、請求項２２に記載のプレートセグメント。
【請求項２４】
前記バットレスは、高さを有し、前記バットレスの前記高さは、前記バットレスがそこから延びる前記歯の高さより小さい、請求項２２に記載のプレートセグメント。
【請求項２５】
前記バットレスは、当接面積をさらに含み、前記第１の歯面は、総面積をさらに含み、およびバットレスの当接面積は、前記第１の歯面の前記総面積より小さい、請求項２２に記載のプレートセグメント。
【請求項２６】
前記当接面積と前記総面積との間の差は、露出される面積を画定する、請求項２５に記載のプレートセグメント。
【請求項２７】
前記露出される面積は、前記第１の歯面の前記総面積の２０％から８０％の範囲内である、請求項２６に記載のプレートセグメント。
【請求項２８】
前記バットレスは、四面体角柱、角錐、三角柱、四辺形角柱、および台形角柱、からなる群から選択される形状を有する、請求項２２に記載のプレートセグメント。
【請求項２９】
前記歯は、前記第１の歯面、前記第２の歯面、２つの前記第１の横側、および前記第２の歯横側、の中で前記歯の頂部に配置される平面をさらに含む、請求項２２に記載のプレートセグメント。
【請求項３０】
前記バットレスは、前記歯の前記第１の面に隣接する前記基材上に配置されるベースをさらに含み、前記ベースは幅を有し、および前記ベースの幅は、前記バットレスの頂部縁における幅よりも広い、請求項２２に記載のプレートセグメント。
【請求項３１】
前記バットレスは、前記バットレスの頂部縁から前記バットレスの遠位底部縁に延びる斜辺をさらに含む、請求項２２に記載のプレートセグメント。
【請求項３２】
前記遠位底部縁は、隣接する歯の第２の歯面と隣り合う、請求項３１に記載のプレートセグメント。
【発明の詳細な説明】
【技術分野】
【０００１】
１．相互関連出願
本出願は、以下の米国仮特許出願の各々の利益を請求し、その各々は参照によってその全体が本明細書に組み込まれる：２０１８年１０月２９日に出願された米国仮特許出願第６２／７５２，０７７号および２０１９年５月７日に出願された米国仮特許出願第６６／８４４，５７０号。
【０００２】
２．技術分野
本開示は、再生紙および包装材料由来の回収パルプ繊維を処理するためのディスパーザー機械、および対向するディスクおよび噛合歯を備える他の材料分離機械に関する。
【背景技術】
【０００３】
３．関連技術
ディスパーザーは、紙および包装材料を再生するために使用される機械である。操作者は、まず、材料中の繊維を分離するために、再生紙および包装材料をパルプ化する。操作者は、次いで、パルプ繊維を、典型的には２０〜４０％の間の乾燥含有量のような高濃度で、ディスパーザーを通して供給する。ディスパーザーは、インク、トナー、および他の「粘着性異物」を、紙および包装材料中の繊維から取り除く。ディスパーザーは、また、インク、トナーおよび粘着性異物の粒度を、最終製品パルプにおいてそれらがそれほどはっきりと見えないように、低減させる。
【０００４】
各ディスクは、典型的には、円形アレイ内に配置されおよび支持ディスク上に据え付けられる環状扇形形状のプレートセグメントの組立品を含む。プレートセグメントの組立品は、プレートと称される。対向するプレートセグメントの前面に面する各プレートセグメントの前面は、典型的には、角錐とも称されプレートセグメントにわたって列状に配置される歯を含む。歯の列は、典型的には、プレートセグメントにわたって円弧を形成する。１つのプレート上の円弧状の歯の列は、対向するプレート上の歯の列と噛み合う。すなわち、１つのプレートセグメント上の円弧状の歯の列は、反対のプレートセグメント上に配置される円弧状の歯の列の間を自由に回転する。ディスパーザー用のディスクの例は、米国特許番号第９，１４５，６４１号（特許文献１）、米国特許番号第７，７６６，２６９号（特許文献２）、米国特許番号第７，４７８，７７３号（特許文献３）、米国特許番号第７，４７２，８５５号（特許文献４）、米国特許番号第７，３００，００８号（特許文献５）、および米国特許番号第７，１７２，１４８（特許文献６）、米国特許出願公開第２０１４／０１７．４６８８号（特許文献７）、および欧州特許出願第２，６８３，８７０Ｂ１号（特許文献８）に示される。
【０００５】
再生紙および包装材料は、典型的には、大きくおよび硬い粒子のような研磨粒子を含む多くの夾雑物を含む。これらの研磨粒子は、ディスパーザー歯を摩耗し、これは次にプレートの有用寿命を制限する。
【０００６】
夾雑物の問題に対処するために、研磨粒子からの摩耗に耐性のある摩耗しにくい合金からディスパーザー用のディスクのためのプレートを形成することが知られている。しかしながら、摩耗しにくい合金は脆い。脆性のために、プレート上の歯は、より大きい硬い粒子によって影響を受けたときに破損する場合があり、これは、パルプ化された材料を汚染する。破損された歯は、プレートの寿命を制限し、およびプロセスラインをさらに下って他の損害を引き起こし得る。
【０００７】
脆性に対処するために、幅の広いおよび短い歯が、摩耗しにくい合金で形成されたプレートセグメント上で用いられている。対照的に、高い歯を備えるプレートセグメントは、たいてい、プレートの有用寿命期間を制限する、より柔らかいおよび耐破損性の合金に作られる。幅が広くおよび短い歯は、破損により耐性があるが、幅が広くおよび短い歯は、幅の狭い歯を備える列と比べてより少ない歯を備えるより少ない列を形成し、およびこのようにして各列上により少ない噛合歯縁を有するので、より高いエネルギー入力の適用に適さない。より短い歯は、対向する歯の交差する縁の長さを低減させ、これは、同じように、パルプ繊維への作用を低減させる。また、短い、幅の広い歯は、対向するディスクの間の間隙を低減させ、およびそれによってディスパーザーを通って流れる材料のスループット能力を低減させる。
【０００８】
また、ディスクの前面の基材上のおよび隣接する歯の間のダムおよびランプは、歯の破損を低減させるように歯を支持するために使用されている。摩耗しにくい合金で形成された脆い歯についての難点に対処するためのダムおよびランプは、比較的大きい傾向がある。大きいダムおよびランプは、対向するディスクの間を移動する繊維材料の均質性に所望されない方法で影響を及ぼし得る。大きいランプおよび特に大きいダムは、また、ディスパーザープレートのスループット能力を低減させることとなる。
【先行技術文献】
【特許文献】
【０００９】
【特許文献１】米国特許番号第９，１４５，６４１号
【特許文献２】米国特許番号第７，７６６，２６９号
【特許文献３】米国特許番号第７，４７８，７７３号
【特許文献４】米国特許番号第７，４７２，８５５号
【特許文献５】米国特許番号第７，３００，００８号
【特許文献６】米国特許番号第７，１７２，１４８号
【特許文献７】米国特許出願公開第２０１４／０１７．４６８８号（Ｕ．Ｓ．  Ｐａｔ．  Ａｐｐ．  Ｐｕｂ．  Ｎｏｓ．  ２０１４／０１７．４６８８）
【特許文献８】欧州特許出願第２，６８３，８７０Ｂ１号（Ｅｕｒｏｐｅａｎ  Ｐａｔｅｎｔ  Ａｐｐｌｉｃａｔｉｏｎ  ２，６８３，８７０  Ｂ１）
【発明の概要】
【発明が解決しようとする課題】
【００１０】
摩耗しにくい合金で形成されるべきおよび歯の破損に耐性がある、高い、幅の狭い歯の列を可能にする新しいプレートセグメント設計の必要がある。
【課題を解決するための手段】
【００１１】
一列に隣接する歯の間にブリッジを有するプレートセグメントは、本明細書に開示される。ブリッジは、歯が高くおよび幅狭になるのを可能にするように歯を支持する。
【００１２】
噛合歯を特徴付けるプレートの新規な設計は、開発されてきた。歯は、歯の頂部またはその近くでおよび／または歯の頂部と底部との間の中間の高さでブリッジによって互いに接続されることによって補強される。
【００１３】
ブリッジは、少なくとも、大きいランプおよびダムを備えるプレートと比べられた際に、プレート間の間隙を通るパルプ化された繊維の流れに大きな制約を加えないであろうと信じられている。さらに、歯の間のブリッジは、プレート間を移動する繊維材料の均一な分布を可能にする。さらには、接続の場所および形状は、流量および歯の最大強さに関して最適化され得、このようにして、歯付プレートに良好な性能および歯の破損の低いリスクを提供する。
【００１４】
本発明は、ディスパーザーまたは他の材料分離機械のためのプレートセグメントとして具体化されてもよく、前側および後側を有する基材であって、後側は支持ディスクに据え付けられるように構成される、基材と、金属基材の前側から突出する歯の列であって、列の各々はプレートセグメントの１つの側からプレートセグメントの反対側に延びる円弧に沿って配置される、歯の列と、を含み、歯の列のうちの少なくとも１つにおいて、隣接する歯は、１つの列における隣接する歯の間の間隙に架かるブリッジによって結合され、ブリッジは、ブリッジが間隙内の開放空間によって前側から分離されるように、基材の前側よりも上に高くされる。ブリッジは、１つの列における隣接する歯のすべてに架かっていてもよく、またはブリッジは、単に、１つの列における歯のうちの選択された対に架かっていてもよい。
【００１５】
ブリッジは、基材の前側から離れた隣接する歯の端部であってもよい。ブリッジは、隣接する歯の各々の側壁を結合してもよい。ブリッジは、前側よりも上の歯の高度で、前側よりも上の隣接する歯の高さの３分の１から３分の２の範囲において、隣接する歯の側壁を結合してもよい。
【００１６】
ブリッジは、ブリッジと基材との間に隙間が存在するように、基材よりも上の様々な高度でおよび歯の高さに沿って、位置決めされてもよい。例えば、ブリッジは、歯の高さの４分の３（３／４）以上であるプレートセグメントの基材よりも上の高度にあってもよい。特に、ブリッジは、歯の頂部またはその近くにあってもよい。
【００１７】
ブリッジは、隣接する歯の間のブリッジの中点で断面において円形形状を有していてもよい。あるいはまた、ブリッジは、長方形形状、テーパー形状または涙滴形状のような他の断面形状、またはブリッジの機能が実行されるのを可能にする任意の他の形状を有していてもよい。
【００１８】
列のうちの１つまたは複数において隣接する歯のいくつかまたは各々の間にブリッジがあってもよく、およびプレートセグメント上の他の列においてブリッジがなくてもよい。ブリッジは、半径方向最外列（単数または複数）にあってもよく、および半径方向内側列は、ブリッジを欠いてもよい。
【００１９】
１つの列におけるブリッジは、その列における隣接する歯の第１の対の間に第１のブリッジ、およびその列における隣接する歯の第２の対の間に第２のブリッジを含んでいてもよく、第１のブリッジは、隣接する歯の第１の対の頂部またはその近くにあり、および第２のブリッジは、隣接する歯の第２の対の高さの３分の１から８０パーセント（８０％）の間の範囲内のような、隣接する歯の第２の対の間のより低い高度にある。歯の列において、各連続的な歯の対の間に交互の第１および第２のブリッジがあってもよい。
【００２０】
さらに、プレートセグメント上の隣接する歯の対の間に２つまたはそれより多いブリッジがあってもよい。例えば、ブリッジのうちの１つは、歯の頂部またはその近くにあってもよく、および第２のブリッジは、歯の高さの３分の１から３分の２の間にあってもよい。第３のおよびさらなるブリッジは、他のブリッジと同じ高さに、または新しい高さにあり得る。隙間は、両方のブリッジとプレートセグメントの基材との間、およびブリッジの間にある。
【００２１】
本発明は、ディスパーザーとして具体化されてもよく、セルロース系繊維質材料を含む流れを受け入れるように構成される入口を含むハウジングと、ディスクのうちの少なくとも１つがハウジング内部において回転軸の周りを回転するようにハウジング内に据え付けられる対向するディスクと、を含み、対向するディスクの各々は、前面を有し、および対向するディスク上の前面は、互いに面しおよび対向するディスクの間の間隙によって分離され、対向するディスクの各々は、ディスクに対する前面上に歯の列を有し、各歯の列における歯は、回転軸から共通半径にあり、ブリッジは、歯の列のうちの少なくとも１つにおいて隣接する歯の間の間隙に架かり、ブリッジは、間隙内の開放空間によって前面の基材から分離され、対向するディスクのうちの第１の対向するディスクの前面上の歯の列は、対向するディスクのうちの第２の対向するディスクの前面上の歯の列とは異なる半径にあり、および第１の対向するディスクの列は、第２の対向するディスクの歯の列と噛み合う。
【００２２】
他の例示的な実施形態において、プレートセグメントは、歯の面からディスパーザーセグメントの基材に延びるバットレスを含んでいてもよい。
【００２３】
理論によって束縛されることなく、本明細書に開示される例示的なバットレスは、製造品がディスパーザープレートセグメント上により多い数のより高い歯を含み、それによって、ディスパーザープレートセグメントが面積の単位当たりに再生繊維に与え得る仕事量を増大させることを可能にし得ることが考えられる。
【図面の簡単な説明】
【００２４】
上記の内容は、添付図面に示されるような本開示の例示的な実施形態の以下のより詳細な説明から明らかになるであろう。図面は、必ずしも縮尺するとは限られず、開示される実施形態を示すに際して代わりに強調が置かれる。
【図１Ａ】ディスパーザー内のディスク内の慣用のプレートセグメントの正面図である。
【図１Ｂ】図１Ａに示されるプレートセグメントの断面の側面図である。
【図１Ｃ】回転子ディスクおよび固定子ディスクがその中に据え付けられたディスパーザーの部分の断面の側面図である。
【図２Ａ】慣用の高ランプを備える歯を示すプレートセグメントの部分の側面図である。
【図２Ｂ】慣用の高ランプを備える歯を示すプレートセグメントの部分の正面図である。
【図３Ａ】慣用のダムを備える歯を示すプレートセグメントの部分の側面図である。
【図４Ｂ】慣用のダムを備える歯を示すプレートセグメントの部分の正面図である。
【図４Ａ】接続ブリッジを備える歯を有するプレートセグメントの部分の側面図である。
【図４Ｂ】接続ブリッジを備える歯を有するプレートセグメントの部分の正面図である。
【図５Ａ】接続ブリッジを備える歯を有する別のプレートセグメントの部分の側面図である。
【図５Ｂ】接続ブリッジを備える歯を有する別のプレートセグメントの部分の正面図である。
【図６Ａ】接続ブリッジを備える歯を備える別のプレートセグメントの側面図である。
【図６Ｂ】接続ブリッジを備える歯を備える別のプレートセグメントの正面図である。
【図７Ａ】異なる断面形状を有するブリッジを示すプレートセグメント上の歯の側面図である。
【図７Ｂ】異なる断面形状を有するブリッジを示すプレートセグメント上の歯の側面図である。
【図７Ｃ】異なる断面形状を有するブリッジを示すプレートセグメント上の歯の側面図である。
【図７Ｄ】異なる断面形状を有するブリッジを示すプレートセグメント上の歯の側面図である。
【図８Ａ】隣接する歯の間のブリッジの対を示すプレートセグメント上の歯の側面図である。
【図８Ｂ】隣接する歯の間のブリッジの対を示すプレートセグメント上の歯の正面図である。
【図９】描かれるディスパーザー歯の各々の第１の歯の側から延びるバットレスを有する２つの隣接する例示的なディスパーザー歯の斜視図である。
【図１０Ａ】角錐形状のバットレスを示す例示的なディスパーザー歯の斜視図である。
【図１０Ｂ】角錐形状のバットレスを示す例示的なディスパーザー歯の斜視図である。
【図１１Ａ】バットレスの当接面積はバットレスが当接する歯面の総面積よりも小さい、バットレスの異なる形状を示す例示的なディスパーザー歯の斜視図である。
【図１１Ｂ】バットレスの当接面積はバットレスが当接する歯面の総面積よりも小さい、バットレスの異なる形状を示す例示的なディスパーザー歯の斜視図である。
【図１１Ｃ】バットレスの当接面積はバットレスが当接する歯面の総面積よりも小さい、バットレスの異なる形状を示す例示的なディスパーザー歯の斜視図である。
【図１１Ｄ】バットレスの当接面積はバットレスが当接する歯面の総面積よりも小さい、バットレスの異なる形状を示す例示的なディスパーザー歯の斜視図である。
【図１２Ａ−１２Ｇ】例示的なディスパーザー歯の１つまたは複数の面から延びる例示的なバットレスを示す例示的なディスパーザー歯の側面図である。
【図１３Ａ−１３Ｄ】図１２のビューに垂直な側面図である。これらの図は、第１の歯面の総面積に対するバットレスの当接面積を示す。
【発明を実施するための形態】
【００２５】
好ましい実施形態の以下の詳細な説明は、例示および説明の目的のためだけに示され、および包括的であることまたは本発明の範囲および精神を制限することは意図されない。実施形態は、本発明の原理およびその実際の適用を最もよく説明するために選択されおよび記載された。当業者は、本発明の範囲および精神から逸脱することなく本明細書に開示される発明に対して多くの変形がなされ得ることを認識するであろう。
【００２６】
同様の参照文字は、別段の指定がない限り、いくつかのビューを通して対応する部分を示す。図面は、本開示による様々な機能および構成要素の実施形態を示すが、図面は、必ずしも縮尺比に従って縮小されず、および特定の機能は、本開示の実施形態をよりよく示すために誇張されてもよく、およびそのような例証は、本開示の範囲を制限すると解釈されない。
【００２７】
本明細書において明示的に別段の定めをした場合を除き、以下の解釈の規定が本明細書に適用される：（ａ）本明細書において使用されるすべての単語は、環境が必要とするような性および数（単数または複数）のものであるように解釈されるものとし、（ｂ）明細書および添付される特許請求の範囲において使用される際の単数の用語「１つ（ａ）」、「１つ（ａｎ）」、および「その（ｔｈｅ）」は、文脈がそうではないとはっきりと決定付けない限りは、複数の参照を含み、（ｃ）列挙される範囲または値に適用される推定の用語「約（ａｂｏｕｔ）」は、測定値からの本技術分野において知られているまたは予期される範囲または値の偏差の範囲内の近似値を示し、（ｄ）単語「ｈｅｒｅｉｎ」、「ｈｅｒｅｂｙ」、「ｈｅｒｅｔｏ」、「ｈｅｒｅｉｎｂｅｆｏｒｅ」、および「ｈｅｒｅｉｎａｆｔｅｒ」、ならびに同様の意味の単語は、別段の定めがない限りは、本明細書その全体を、および任意の特定の段落、請求項または他の細目ではなく、言及し、（ｅ）記述的な表題は、単に便利のためであり、および本明細書の任意の部分の意味または構造を制御せずまたは影響を与えないものとし、および（ｆ）「または（ｏｒ）」および「任意の（ａｎｙ）」は、排他的ではなく、および「含む（ｉｎｃｌｕｄｅ）」および「含む（ｉｎｃｌｕｄｉｎｇ）」は、制限的ではない。さらに、用語「含む（ｃｏｍｐｒｉｓｉｎｇ）」、「有する（ｈａｖｉｎｇ）」、「含む（ｉｎｃｌｕｄｉｎｇ）」および「含む（ｃｏｎｔａｉｎｉｎｇ）」は、制約のない用語として解釈されるべきである（すなわち、「含むがそれに限定されない（ｉｎｃｌｕｄｉｎｇ  ｂｕｔ  ｎｏｔ  ｌｉｍｉｔｅｄ  ｔｏ）」を意味する。
【００２８】
明細書における言及「１つの実施形態（ｏｎｅ  ｅｍｂｏｄｉｍｅｎｔ）」、「実施形態（ａｎ  ｅｍｂｏｄｉｍｅｎｔ）」、「例示的な実施形態（ａｎ  ｅｘｅｍｐｌａｒｙ  ｅｍｂｏｄｉｍｅｎｔ）」、等は、記載される実施形態が、特定の機能、構造、または特徴を含んでもいてもよいが、すべての実施形態が特定の機能、構造、または特徴を必ずしも含んでいなくてもよいことを示す。さらに、そのような言い回しは、必ずしも同一の実施形態に言及していなくてもよい。さらに、特定の機能、構造、または特徴が実施形態に関連して説明されるとき、明確に記載されているか否かに関わりなく他の実施形態に関連してそのような機能、構造、または特徴に影響を及ぼすことは、当業者の知識の範囲内であることが具申される。
【００２９】
記述的サポートを提供するのに必要とされる範囲まで、添付される特許請求の範囲の主題および／または本文は、それらの全体が参照によって本明細書に組み込まれる。
【００３０】
本明細書における値の範囲の列挙は、本明細書においてそうではないと明確に示されていない限り、それらの間の任意の部分範囲の範囲にある各別個の値に個別に言及する簡略な方法として役立つことが単に意図される。列挙される範囲内の各別個の値は、各別個の値がまるで本明細書中に個別に挙げられたかのように、明細書または特許請求の範囲に組み入れられる。値の特定の範囲が提供された場合、各介在する値は、その範囲の上限と下限との間の下限の単位の１０分の１またはそれ未満まで、および任意の他の指定されたまたは介在する値は、文脈がそうではないとはっきりと決定付けない限りは、その指定された範囲またはその部分範囲において、本明細書に含まれることは理解されよう。すべての部分範囲もまた、含まれる。これらのより小さい範囲の上限および下限もまた、指定された範囲において任意の具体的におよび明確に除外された制限を得ることを条件として、本明細書に含まれる。
【００３１】
本明細書において使用される用語のうちのいくつかは、相対的な用語であることに留意されたい。例えば、用語「上部（ｕｐｐｅｒ）」および「下部（ｌｏｗｅｒ）」は、場所において互いに関連し、すなわち、上部構成要素は、所与の配向において、下部構成要素よりも高い高度に位置するが、これらの用語は、デバイスが裏返された場合に、変化し得る。用語「入口（ｉｎｌｅｔ）」および「出口（ｏｕｔｌｅｔ）」は、所与の構造に関してそれらを通って流れる流体に関連し、例えば、流体は、入口を通って構造内に流入し、および出口を通って構造から外に流出する。用語「上流（ｕｐｓｔｒｅａｍ）」および「下流（ｄｏｗｎｓｔｒｅａｍ）」は、流体が様々な構成要素を通って流れる方向に関連し、すなわち、流体の流れは、下流の構成要素を通って流れる前に、上流の構成要素を通る。
【００３２】
用語「水平（ｈｏｒｉｚｏｎｔａｌ）」および「垂直（ｖｅｒｔｉｃａｌ）」は、絶対参照、すなわち地表面に関連する方向を示すために使用される。しかしながら、これらの用語は、互いに対して絶対的に平行または絶対的に垂直である構造を必要とするように解釈されるべきではない。例えば、第１の垂直構造および第２の垂直構造は、互いに対して必ずしも平行ではない。用語「頂部（ｔｏｐ）」および「底部（ｂｏｔｔｏｍ）」または「ベース（ｂａｓｅ）」は、場所／表面に言及するために使用され、頂部は、絶対参照すなわち地球の表面に関連して、底部／ベースよりも常に高い。用語「上側（ｕｐｗａｒｄｓ）」および「下側（ｄｏｗｎｗａｒｄｓ）」もまた、絶対参照に関連し、上側の流れは、常に、地球の重力に反する。
【００３３】
ディスパーザーは、典型的には、３つの種類、ディスク、コニカル、およびシリンダーのうちの１つとして供給される。この詳細な説明はディスクディスパーザーを主に説明するが、コニカルおよびシリンダーディスパーザーは、典型的には、同様に機能する。対向するディスクの代わりに、それらはそれぞれ入れ子式の切頂された円錐および入れ子式の円筒を特徴とする。本明細書に記載される例示的なプレートセグメントは、コニカルまたはシリンダーディスパーザーと共に働くように製造されてもよく、およびそのようなプレートセグメントおよびディスパーザーのタイプは、本開示の範囲内であると考えられる。図１Ａ、図１Ｂおよび図１Ｃは、環状アレイに据え付けられる回転子プレートセグメント１２を回転子支持ディスク１４に収容するディスパーザー１０（図１Ｃ）を示す。回転子プレートセグメント１２および支持ディスク１４は、ディスパーザーの中心軸１６の周りを回転させられる。回転子プレートセグメント１２およびディスク１４は、駆動モータ（不図示）によって駆動するシャフト１５によって回される。ディスパーザーは、また、環状アレイに据え付けられる固定子プレートセグメント１８を固定子支持ディスク２０に収容し、これは、ディスパーザーのハウジングに固定される。
【００３４】
固定子支持ディスク２０への中心入口２２は、回転子および固定子プレートセグメント間で加工されるべき材料を受け入れる。材料は、再生用紙または包装材料によって回収されるパルプであってもよい。材料は、回転子プレートセグメント１２の前面と固定子プレートセグメント１８の前面との間の間隙２４内に移動する。回転子プレートセグメント（および、それらが回るように構成されていた場合の固定子プレートセグメント）の回転は、間隙２４を通して材料を推進させる遠心力を生み出す。材料が間隙２４を通って移動する際に、材料は、回転子プレートセグメント１４および固定子プレートセグメント１８の各々の前面上に列に配置される歯２６の間および上を流れる。
【００３５】
回転子プレートセグメント１２上の歯２６の列は、固定子プレートセグメント１８上の歯の列と噛み合う。噛み合いを提供するために、回転子プレートセグメント１２上の歯の列は、固定子プレートセグメント１８上の歯の列とは異なる中心軸１６からの半径にある。歯の列の各々は、中心軸１６を通っておよび間隙２４を通って半径方向外側に延びる平面２８を通って延びる。
【００３６】
材料が間隙３０を通過する際に、回転子および固定子プレートセグメント１２、１８の歯は、材料に衝突し、およびパルプ繊維から、パルプの繊維由来のインク、トナーおよび粘着性異物の粒子を取り除く。繊維からのこれらの粒子の取り除きは望ましい。材料が間隙から半径方向に出る際に、材料は、ディスパーザー１０のハウジングの環状チャンバ３０に入る。材料は、チャンバを通って排出出口に移動する。排出後に、材料は、取り除かれた粒子をパルプ繊維から分離するためにさらに加工される。
【００３７】
プレートセグメント１２、１８は、例えば、個別の環状扇形形状の構成要素または環状プレートの領域であってもよい。個別の環状扇形形状の構成要素であるプレートセグメントは、環状アレイに配置されて、完全なプレートを形成する。プレートセグメント／プレートは、支持ディスク１４、２０上に据え付けられる。回転子プレートセグメント１４の環状アレイは、回転子ディスク支持体１２に据え付けられ、および固定子プレートセグメント１８の環状アレイは、固定子支持ディスク１３に据え付けられる。プレートセグメントは、穴１７を通過するボルト（不図示）によってのような任意の簡便なまたは慣用のやり方によって、ディスクに固定されてもよい。プレートセグメント１２、１８は、それらが各ディスク支持体に据え付けられる際に、横並びに配置されて環状アレイを形成する。
【００３８】
回転子または固定子プレートは、別個の構成要素プレートセグメントで形成されていてもよくまたはいなくてもよい。むしろ、プレートセグメントは、シングルピースのプレートとして結合されてもよい。別個の構成要素であるプレートセグメントがここでは開示されている一方で、本発明は、プレートセグメントがシングルピースのプレートに一体化される環状プレートにおいて具体化されてもよい。
【００３９】
プレートセグメント１２、１８は、その取り付けられたディスク支持体の中心軸１８に向かう内縁３２およびディスク支持体の周囲に近い外縁３４を有する。各プレートセグメント１２、１８は、基材４５を備える前面を有し、および同中心の歯２６の列４２が基材４５から突出する。回転子ディスク支持体１４およびそのプレートセグメント１２の回転は、精製される材料、例えば繊維に、遠心力を適用し、これは、材料をディスク間の間隙２４を通ってプレートセグメントの内縁３２から外縁３４まで半径方向外側の方向に移動させる。パルプ化された材料は、対向するディスク上の各列における隣接する歯２６の間を優勢に移動する。パルプ化された材料は、ディスクの外周における間隙２４から半径方向に流出し、およびリファイナ１０のケーシング３０に流入する。
【００４０】
各ディスク上の歯の列２６は、各々、ディスク中心１６から共通の半径方向距離４４にある。ディスク上の列２６は、同中心である。対向するディスク上の列は、歯２６がディスク間の間隙２４内で平面２８と交差するように、間隙２４を横切って噛み合う。
【００４１】
固定子ディスクの中心入口２２から間隙２４を通っておよびディスクの周囲に進む繊維は、回転子歯２６が固定子歯２８の近くを通る際に衝突を受ける。回転子歯２８と固定子歯２８との間の隙間は、０．５から１２ミリメートル（「ｍｍ」）の範囲内であってもよい。隙間は、繊維が、それらが回転子および固定子ディスクの列における歯の間を通る際に、激しくおよび交互に屈曲させられるように選択されてもよい。繊維を屈曲させることは、繊維上のインクおよびトナー粒子をより小さい粒子に破壊し、および繊維上の粘着性粒子を破壊して取り除く。隙間は、繊維を損壊しまたは破壊するように小さくあってはならない。
【００４２】
回転子または固定子プレートセグメント１２、１８は、図１Ｃよりも図１Ａおよび図１Ｂに、より詳細に示される。プレートセグメントは、内縁３２および外縁３４を有する。これらの縁は、円弧形状であってもよく、各円弧は、プレートセグメントがディスクに対しておよびディスパーザー１０内において据え付けられたときに、中心軸１６上に中心が置かれる。プレートの後側３６は、支持ディスク１４、２０の前面に据え付けるように構成される。
【００４３】
前側３８は、歯２８の列４２がその上に配置される外側円弧形状区域４０を含む。各列４２は、円弧状に間隔が空けられ、およびディスパーザーの中心軸１６から一定半径４４にある。歯は、プレートセグメントの基材４５から延出する。前面の内側区域４６は、プレートセグメントの前部の平面基材４５であってもよい。
【００４４】
プレートセグメント１２、１８の側縁４８は、中心軸１６からの半径に沿って位置合わせされる一直線の縁であってもよい。側縁４８は、固定子または回転子支持ディスクに据え付けられる他のプレートセグメントの側縁に隣接するように構成される。プレートセグメントを支持ディスク上に横並びに配置することによって、プレートセグメントは、支持ディスク上に環状ディスクアレイを形成する。プレートセグメント上の歯２６の列４２の各々は、支持ディスクに据え付けられる他のプレートセグメントの歯の列と共通半径に沿って位置合わせされる。このようにして、支持ディスクに据え付けられるプレートセグメントのすべてからの歯は、円形の列に配置される。回転子支持ディスクに据え付けられる回転子プレートセグメント上のこれらの円形の歯の列は、ディスパーザー内で、固定子支持ディスクに据え付けられる固定子プレートセグメント上の円形の歯の列と噛み合う。
【００４５】
図２（Ａ）、図２（Ｂ）、図３（Ａ）、および３（Ｂ）は、慣用のプレートセグメントにおける歯の列４２において隣接する歯２６の間のランプ５０およびダム５１を示す。これらの慣用のダム５０およびランプ５１は、プレートセグメントの前面の基材４５から延びる大きい突出物である。ランプ５０は、高さにおいて２から６ｍｍだけまたはそれよりも大きく基材から突出してもよい。ダム５１は、数ミリメートルから歯の高さの約４分の３（３／４）まで基材よりも上に延びていてもよい。ランプまたはダムは、１つの列における歯の間においてブリッジと交互であってもよい。例えば、隣接する歯の間に一連の２つから６つのブリッジがあり、続いて次の１つから６つの歯の間に１つのランプまたはダムがあってもよい。ランプ、ダムおよびブリッジは、また、同一領域内のブリッジおよびラムのような隣接する歯の間において任意の変形に結合されてもよい。
【００４６】
当技術分野において知られているように、ランプおよびダムは、それらが取り付けられる歯を強化する。ランプまたはダムの高さは、歯に対する所望のレベルの支持を提供するように選択される。歯の高さと比較された際に相対的に低いランプまたはダムは、より高いランプまたはダムが提供する未満の支持を提供する。歯の高さと比較された際に高いランプまたはダムは、歯の良好な支持を提供するが、歯を通るパルプ化材料の流れに悪影響を及ぼし、およびディスパーザーの生産能力を著しく低減させ得る。高いランプまたはダムに起因する別の悪影響は、材料をディスクの間の密集領域に流すことによるパルプ化材料の均質性の低下である可能性がある。
【００４７】
図４（Ａ）および図４（Ｂ）は、回転子または固定子支持ディスクに据え付けられるように構成されるプレートセグメント５２上の歯２６を示す。歯２６は、同中心列４２に配置される。各列における歯２６は、隣接する歯の間に架かりおよび隣接する歯を接続するブリッジ５６によって接続される。ブリッジ５６は、歯に構造的支持を提供し、および歯の間を移動する材料中の大きい硬い粒子による歯への損害を防止するのを助ける。ブリッジ５６は、１つの列における隣接する歯の間のスロット５７に架かっていてもよい。図２および図３に示されるように、すべての隣接する歯２６の間にブリッジ５６があってもよく、および１つの列におけるすべてのスロット５７に架かっていてもよい。ブリッジ５６は、歯およびブリッジが同一材料でおよびシングルピース鋳造構成要素として形成されるように、歯２６と一体であってもよい。これらの材料は、ニッケルおよびクロムを用いる合金のような摩耗しにくい合金、およびマルテンサイトまたはオーステナイト系ステンレス鋼であってもよい。
【００４８】
ブリッジ５６は、プレートセグメント上の歯の列４２に含まれていてもよい。あるいはまた、ブリッジ５６は、選択で、その列のものであってよくおよび他の列の一部でなくてもよい。例えば、ブリッジは、第１のいくつかの列、そのような第１の列は第１の２つの列または第１の３つの列、の中にあってもよい。第１の列は、半径方向内側の列である。第１の歯の列は、ディスパーザーを通過する材料中の最も大きい粒子が対象とされてもよい。また、ブリッジは、半径方向内側の列と比較された際に半径方向外側の列において、より高い遠心力に起因して、半径方向外側の列４２において有用であってもよい。このようにして、プレートセグメントは、外側の１つから７つの列のような、半径方向外側の列または外側の少数の列上に、および半径方向内側の列ではなく、ブリッジ５６を備える列４２を有していてもよい。いくつかの適用において、半径方向内側の列は、半径方向外側の列よりも、幅が広くおよびより大きな程度まで間隔が空けられる傾向がある。ブリッジは、幅の広い歯を支持するために必要とされない場合がある。さらに、ブリッジは、半径方向内側のたいていの列において存在するかもしれないようには、歯の間の幅の広い間隙に架かるのに適さない場合がある。
【００４９】
ブリッジ５６は、プレートセグメント１２、１８の前面の基材４５の周辺に高くされる。高さのために、ブリッジの底部と基材４５の表面との間に隙間５８がある。隙間５８の距離は、歯の高さ（Ｈ）の半分、歯の高さの３分の１、歯の高さの３分の２、高さの８０から９０パーセント（８０％から９０％）  または、実質的に歯の高さ全体であってもよい。隙間５８の距離は、プレートセグメントの設計の間に決定される。隙間の距離は、破損に対する歯の耐性を向上させ、およびディスパーザーを通るパルプ化材料の移動を増進させるように決定されてもよい。異なる歯間隔を横切るブリッジの位置のスタガリングは、歯の列を横切るおよび通る繊維のより均一な流れを可能にする可能性がある。また、向かい合った歯上のブリッジのスタガリングは、高められた強度を歯に提供する場合がある。
【００５０】
ブリッジ５６は、図２および図３に示されるように、円形である断面を有していてもよい。断面の面積は、歯２６の断面の面積より小さくてもよい。例えば、ブリッジの断面の面積は、基材４５からのブリッジと同じ高さにおける歯の断面の面積の５分の１、３分の１、２分の１または３分の２であってもよい。ブリッジ５６は、図４（Ａ）および図４（Ｂ）に示されるように、歯のリーディング面６２からオフセットされていてもよく、および同様に、歯のトレーリング面６０からオフセットされていてもよい。ブリッジ５６は、半径方向に沿った歯の側上で中心に置かれてもよく、または、それらは、縁のうちの１つに向かってオフセットされ得る。
【００５１】
基材は、歯の列において、隣接する歯の間に、浅いランプまたはダム５０を含んでいてもよい。ランプまたはダム５０は、パルプ化された材料の均質性に及ぶランプまたはダムの影響を低減させるために、歯の高さの４分の１未満のように短くてもよい。ランプがある場合、レッジ５４は、歯の列のトレーリング縁（半径方向外側）側に形成されてもよい。ランプまたはダム５０は、歯のためのさらなる構造的支持を提供する。ランプまたはダム５０は、また、材料を基材から離れておよび歯の上部領域に向かって導くことによって、再生される材料を処理するのを助けてもよい。
【００５２】
図５（Ａ）および図５（Ｂ）は、ブリッジ６６がその中で歯２６の頂部を形成する例示的なプレートセグメント６４を示す。歯の各列４２は、列によって形成される円弧と調和する円弧に配置されるブリッジ６４を有する。ブリッジ６６は、その列における歯の上部部分を形成する。ブリッジ６６の前面は、その列における歯のリーディング面６２および歯のトレーリング面６０と同一平面内にあってもよい。ブリッジの上部表面は、平面でありおよびランプまたはダム以外の基材の部分に概して平行であってもよい。また、ブリッジ６６の厚さは、幅より小さくてもよく、厚さは、半径方向線に垂直の方向であり、および厚さは、半径方向線に平行である。
【００５３】
図６（Ａ）および図６（Ｂ）は、ブリッジを備える歯２６の列を有するプレートセグメント６８を示し、その中で、ブリッジのセグメント７０、７２は、隣接する歯の間の中間の高さにおけるセグメント７０と、隣接する歯の頂部におけるセグメント７２と、の間で交互になる。ブリッジセグメントの高さは、プレートセグメントの基材４５に関する。交互の高さのために、基材とブリッジセグメントとの間の隙間５８は、また、隣接する歯の対の間で変動する。交互のセグメントは、各列４２におけるすべての歯に関して続く。交互の高さの歯は、各歯に対して歯の頂部および中間において構造的支持を提供する。このようにして、交互の高さは、大きい硬い粒子を有する、またはさもなければ歯を損壊し得る粒子を有する傾向のある、パルプ化された材料を取り扱うことが予期されるプレートセグメントのための歯に、増強された構造的強さを提供するために使用されてもよい。
【００５４】
図７（Ａ）、図７（Ｂ）、図７（Ｃ）および図７（Ｄ）は、プレートセグメントの異なる列における、隣接する歯２６の間の例示的なブリッジ７４、７６、５６、および７８を示す。ブリッジは、異なる断面形状を有する。ブリッジ７４は、断面において三角形の形状を有し、その中で、三角形の頂点は、固定子および回転子ディスク間を流れるパルプ化された材料の流れの中に向かって面する。流れに面するように頂点を配向することは、ブリッジによってもたらされる流れに対する抵抗を低減させる。ブリッジ７６は、断面において長方形形状を有する。長方形の断面形状は、歯の幅を横切るより均一な構造的支持を提供する可能性があり、幅は、歯のリーディング面からトレーリング面までである。ブリッジ５６のための円形の断面形状は、歯に、相対的に低い流抵抗の（長方形のブリッジと比較された際に）良好な構造的支持を提供し、およびブリッジへの損傷に対して耐性を有する可能性がある（他の断面形状を有するブリッジと比較された際に）。前方に面するブリッジの最も厚い部分を備える涙滴形状を有するブリッジ７８は、歯の前方部分（損壊が最も生じやすい）のための良好な構造的支持、および材料の流れに対する低い抵抗を提供する。開示される形状は、本開示の範囲に入るブリッジの例示的な形状であり、および本明細書における何物も、ブリッジをこれらの特定の形状に限定するものではないことは理解されたい。
【００５５】
図８（Ａ）および図８（Ｂ）は、ブリッジ８０、８２の対を有する歯２６の正面図および側面図を示す。上部ブリッジ８０は、歯２６の高さの８０から９０パーセント（８０％から９０％）の範囲にあってもよい。下部ブリッジ８２は、歯の高さの３分の１から３分の２の基材４５よりも上の高度にあってもよい。あるいはまた、ブリッジ８０、８２の対は、歯を通る材料の流れの方向に沿って（その方向は、基材４５に平行である）１つのブリッジ８０が他のブリッジ８２の前にある状態で、基材よりも上の同じ高さにあってもよい。
【００５６】
ブリッジは、プレートセグメントにおける列のすべてが、同一の断面形状を備えるブリッジを有するように、異なるプレートセグメントに適用されてもよい。あるいはまた、プレートセグメント上の１つの歯の列におけるブリッジは、他の列とは、断面において異なる形状を有していてもよい。
【００５７】
ブリッジは、ディスパーザー用のプレートセグメントまたはプレート全体に、歯のための構造的支持を提供する。ブリッジによって提供される構造的支持のために、歯は、ディスパーザーによって加工される再生パルプ材料における、硬い大きい粒子に起因する破損に対して、より耐性がある。ブリッジによって提供される構造的支持のために、歯は、ブリッジなしに可能となるであろうよりも高くおよび／または幅が狭くあってもよい。より幅の狭い歯は、１つの列における歯の数の増大を可能にする。
【００５８】
歯の間にブリッジを備えるプレートセグメントは、高摩耗金属合金のような金属の鋳造によって形成されてもよい。プレートセグメントを鋳造するために、モールドは、砂から形成されてもよい。砂モールドは、インベストメント鋳造、３次元印刷、または他の付加製造技術によって形成されてもよい。砂コアは、プレートセグメントの部分を形成するために必要とされてもよい。砂モールドは、プレートセグメントを形成するのに犠牲になる。あるいはまた、プレートセグメントは、３次元印刷または他の付加製造技術を用いて直接的に形成されてもよい。さらに、ブリッジは、ブリッジを作り出すために、例えば、歯の間にブリッジを溶接すること、または、木釘を押し込むことなどによって、既存のプレートセグメントに付加されてもよい。
【００５９】
１つまたは複数の歯の列において歯の間にブリッジを備えるプレートセグメントは、ディスパーザー以外の機械に適用されてもよい。これらの機械は、噛合歯の列を備える対向するディスクを含み、および機械によって加工される繊維から粒子を分離するため、繊維の塊を分離するため、またはサイズを低減させおよび供給される粒子を均質化するために使用される。
【００６０】
図９は、描かれるディスパーザー歯２６の各々の第１の歯面６９から延びるバットレス７３を有する２つの隣接する例示的なディスパーザー歯２６の斜視図である。第１の歯面６９と当接するバットレス７３の面積７９（図１３（Ａ）から図１３（Ｄ））（すなわち、「当接面積」）は、第１の歯面６９の総面積５５（図１３（Ａ）から図１３（Ｄ））よりも小さい。特定の例示的な実施形態において、露出される面積５９（図１３（Ａ）から図１３（Ｄ））は、第１の歯面の総面積５５の約２０％から８０％の間である。第１の歯面の総面積５５は、バットレス面積７９および第１の歯面の露出される面積５９の合計であることは理解されよう。
【００６１】
歯２６は、第２の歯面５３（図１２（Ｂ））および第１の歯面６９、第２の歯面５３、第１の横歯側６７、および第２の横歯側８８によって境界される本体６５をさらに含む（図１３（Ａ））。理論によって束縛されることなく、出願人は、本明細書に記載される例示的なバットレス７３は、ディスパーザー歯２６に付加的な支持を提供しつつ、隣接するディスパーザー歯２６間における十分な開放領域４７（図１２（Ａ）から図１２（Ｇ））を依然として可能にして、十分なスループットを維持するように再生材料が開放領域４７を通って流れることができることを信じる。
【００６２】
図９のバットレス７３は、バットレス高（ｈ）を有する。描かれる実施形態において、バットレス高（ｈ）は、歯高（Ｈ）よりも小さく、それによって、第１の歯面６９を露出させる。この描写において、第１の歯面６９は、ディスパーザーが回転しているときに、歯２６のトレーリング面として始まる。理論によって束縛されることなく、分散の大部分は、向かい合ったディスパーザープレートの噛合歯２６の縁の間における再生繊維の屈曲に起因して起こることが信じられている。第１の面６９の露出は、リーディング面（第２の面５３参照）が摩耗したときに操作者がディスパーザープレートの回転を逆転させることを可能にする。このようなやり方で、開示される実施形態は、操作者がディスパーザープレートセグメントの有用寿命を延長させることを可能にしてもよい。
【００６３】
特定の例示的な実施形態において、バットレス７３は、第２の歯面５３上に配置される。さらに他の例示的な実施形態において、バットレスは、第１の歯面６９および第２の歯面５３の両方に配置され得る。製造品は、ディスパーザーの所望される使用により、バットレス７３を設置および構成し得る。
【００６４】
理論によって束縛されることなく、本明細書に開示される例示的なバットレス７３のようなバットレス７３の使用は、製造品がディスパーザープレートセグメントの基材４５上により多くの数のより高い歯２６を含むことを可能にし、それによって、ディスパーザープレートセグメントが面積の単位当たりに再生繊維に与え得る仕事量を増大させることがさらに考えられる。特定の例示的な実施形態において、ディスパーザー歯２６は、平坦頂部７５を含む。他の例示的な実施形態において、頂部は、尖っていてもよい。
【００６５】
バットレス７３は、遠位底部縁８５、頂部縁８３、および頂部縁８３から遠位底部縁８５に延びる斜辺（ｈｙｐ）をさらに含む。特定の例示的な実施形態において、バットレス７３のベース（Ｂ）の最も幅広の幅（ｗ２）は、バットレス７３の頂部縁８３での幅（ｗ１）よりも広い。
【００６６】
図１０から図１３は、バットレス７３は、バットレス７３の当接面積７９がバットレス７３がそれに当接する歯面６９、５３の総面積５５よりも小さい限り、任意の数の形状を有していてもよいことを示す。そのような形状は、単に例として、四面体角柱、角錐、三角柱、四辺形角柱、および台形角柱からなる群から選択される形状を含む。そのような形状は、対称性または非対称性であってもよい。
【００６７】
図１２は、歯の列の長さに沿った列の断面図である。図１２において、各バットレス７３は、例示的なバットレスの異なる例示的な実施形態である。図１２（Ａ）は、隣接する歯２６の第２の歯面５３まで延びない遠位底部縁８５を描く。図１２（Ｄ）は、隣接する歯２６の第２の歯面５３に上がって延びる遠位底部縁８５を示す。図１２（Ｅ）は、第１のディスパーザー歯２６の第１の面から延びる第１のバットレス７３、および隣接するディスパーザー歯２６の第２の面５３から延びる第２のバットレス７３を描く。
【００６８】
図１３は、バットレス７３の断面を示すための、例示的なバットレス７３と第１の歯面６９との接合部を横切る断面側面図である。図１３は、第１の歯面６９の露出される面積５９に対する当接面積７９をよりよく示す。図１３（Ａ）から図１３（Ｄ）が論証するように、バットレス７３の形状は、当接面積７９がバットレス７３がそれに当接する歯面６９、５２の総面積５５よりも小さい限り、大きく異なっていてもよい。
【００６９】
例示的なプレートセグメントは、前側および後側を有する基材であって、後側はディスパーザーの支持ディスクに据え付けられるように構成される、基材と、基材の前側から突出する歯の列であって、列の各々はプレートセグメントの１つの側からプレートセグメントの反対側に延びる円弧に沿って配置される、歯の列と、を含み、歯の列のうちの少なくとも１つにおいて、隣接する歯は、隣接する歯の間の間隙に架かるブリッジによって結合され、ブリッジは、ブリッジが間隙内の開放空間によって前面から分離されるように、基材の前側よりも上に高くされる。
【００７０】
例示的な実施形態において、ブリッジは、隣接する歯の端部またはその近くに、基材の前側から離れて、存在する。
【００７１】
例示的な実施形態において、ブリッジは、隣接する歯の各々の側壁を結合する。
【００７２】
例示的な実施形態において、ブリッジは、前側よりも上の歯の高度で、前側よりも上の隣接する歯の高さの全体に対して３分の１の範囲内において、隣接する歯の側壁を結合する。
【００７３】
例示的な実施形態において、ブリッジは、隣接する歯の間のブリッジの中点で断面において円形または楕円形形状、隣接する歯の間のブリッジの中点で断面において長方形形状、隣接する歯の間のブリッジの中点で断面においてテーパー形状、および隣接する歯の間のブリッジの中点で断面において涙滴形状、からなる群から選択される形状を有する。
【００７４】
例示的な実施形態において、ブリッジは、列のうちの少なくとも１つにおいて、隣接する歯の各々の間にある。
【００７５】
例示的な実施形態において、ブリッジは、隣接する歯の間の第１のブリッジであり、プレートセグメントは、隣接する歯の間に第２のブリッジを含み、第２のブリッジは、第１のブリッジとは異なる基材よりも上の高さにある。
【００７６】
例示的な実施形態において、ブリッジは、半径方向最外列にあり、および半径方向内側列は、ブリッジを欠く。
【００７７】
例示的な実施形態において、ブリッジは、その列における隣接する歯の第１の対の間の第１のブリッジであり、およびプレートセグメントは、その列における隣接する歯の第２の対の間に第２のブリッジをさらに含み、第１のブリッジは、第２のブリッジとは異なる高さにある。
【００７８】
例示的な実施形態において、プレートセグメントは、回転軸の周りを回るように構成され、およびプレートセグメントは、円弧形状の半径方向内縁および円弧形状の半径方向外縁を含み、およびプレートセグメントは、それぞれの半径方向線に沿って各々位置合わせされる側縁を有する。
【００７９】
例示的な機械は、セルロース系繊維質材料を含む流れを受け入れるように構成される入口を含むハウジングと、ディスクのうちの少なくとも１つがハウジング内部において回転軸の周りを回転するようにハウジング内に据え付けられる対向するディスクと、を含み、対向するディスクの各々は、前面を有し、および対向するディスク上の前面は、互いに面しおよび対向するディスクの間の間隙によって分離され、対向するディスクの各々は、ディスクに対する前面上に歯の列を有し、各歯の列における歯は、回転軸から共通半径にあり、ブリッジは、歯の列のうちの少なくとも１つにおいて隣接する歯の間の間隙に架かり、ブリッジは、間隙内の開放空間によって前面の基材から分離され、対向するディスクのうちの第１の対向するディスクの前面上の歯の列は、対向するディスクのうちの第２の対向するディスクの前面上の歯の列とは異なる半径にあり、および第１の対向するディスクの列は、第２の対向するディスクの歯の列と噛み合う。
【００８０】
例示的な実施形態において、第１および第２の対向するディスクは各々、シャフトにまたは直接的にハウジングに、のいずれかに据え付けられる支持ディスクであって、支持ディスクは据え付け用基材を含む、支持ディスクと、環状アレイ内で据え付け用基材に据え付けられるプレートセグメントであって、ディスクのための前面がプレートセグメントの前面によって形成される、プレートセグメントと、を含む。
【００８１】
例示的なプレートセグメントは、前側および後側を有する基材であって、後側がディスパーザーの支持ディスクに据え付けられるように構成される、基材と、基材の前側から突出する歯の列であって、プレートセグメントの第１の横側からプレートセグメントの反対の横側に延びる円弧に沿って配置される列と、を含み、歯の列における歯は、第１の歯横側および第２の歯横側を有する歯本体に沿って第２の面から遠位に配置される第１の面を有し、およびバットレスは、歯の第１の面から歯の第１の面に隣接する基材に延びる。
【００８２】
例示的なプレートセグメントは、歯の第２の面から歯の第２の面に隣接する基材に延びるバットレスをさらに含む。
【００８３】
例示的な実施形態において、バットレスは、高さを有し、およびバットレスの高さは、バットレスがそこから延びる歯の高さよりも小さい。
【００８４】
例示的な実施形態において、バットレスは、当接面積をさらに含み、第１の歯面は、総面積をさらに含み、およびバットレスの当接面積は、第１の歯面の総面積よりも小さい。
【００８５】
例示的な実施形態において、当接面積と総面積との間の差は、露出される面積を画定する。
【００８６】
例示的な実施形態において、露出される面積は、第１の歯面の総面積の２０％から８０％  の範囲内である。
【００８７】
例示的な実施形態において、バットレスは、四面体角柱、角錐、三角柱、四辺形角柱、および台形角柱からなる群から選択される形状を有する。
【００８８】
例示的な実施形態において、歯は、第１の歯面、第２の歯面、２つの第１の横側、および第２の横歯側の中で歯の頂部に配置される平面をさらに含む。
【００８９】
例示的な実施形態において、バットレスは、歯の第１の面に隣接する基材上に配置されるベースをさらに含み、ベースは、幅を有し、およびベースの幅は、バットレスの頂部縁における幅よりも広い。
【００９０】
例示的な実施形態において、バットレスは、バットレスの頂部縁からバットレスの遠位底部縁に延びる斜辺をさらに含む。
【００９１】
例示的な実施形態において、遠位底部縁は、隣接する歯の第２の歯面と隣り合う。
【００９２】
本発明は、最も実際的なおよび好ましい実施形態と現在考えられているものに関連して記載されてきたが、本発明は、開示される実施形態に限定されるべきではなく、反対に、本発明の精神および範囲内に含まれる様々な修正および等価のアレンジメントをカバーすることが意図されることは理解されよう。
【図１Ａ】
2020070538.tif 000003
【図１Ｂ】
2020070538.tif 000004
【図１Ｃ】
2020070538.tif 000005
【図２Ａ】
2020070538.tif 000006
【図２Ｂ】
2020070538.tif 000007
【図３Ａ】
2020070538.tif 000008
【図３Ｂ】
2020070538.tif 000009
【図４Ａ】
2020070538.tif 000010
【図４Ｂ】
2020070538.tif 000011
【図５Ａ】
2020070538.tif 000012
【図５Ｂ】
2020070538.tif 000013
【図６Ａ】
2020070538.tif 000014
【図６Ｂ】
2020070538.tif 000015
【図７Ａ】
2020070538.tif 000016
【図７Ｂ】
2020070538.tif 000017
【図７Ｃ】
2020070538.tif 000018
【図７Ｄ】
2020070538.tif 000019
【図８Ａ】
2020070538.tif 000020
【図８Ｂ】
2020070538.tif 000021
【図９】
2020070538.tif 000022
【図１０Ａ】
2020070538.tif 000023
【図１０Ｂ】
2020070538.tif 000024
【図１１Ａ】
2020070538.tif 000025
【図１１Ｂ】
2020070538.tif 000026
【図１１Ｃ】
2020070538.tif 000027
【図１１Ｄ】
2020070538.tif 000028
【図１２Ａ−１２Ｇ】
2020070538.tif 000029
【図１３Ａ−１３Ｄ】
2020070538.tif 000030
【手続補正書】
【提出日】令和2年1月16日(2020.1.16)
【手続補正１】
【補正対象書類名】明細書
【補正対象項目名】００２４
【補正方法】変更
【補正の内容】
【００２４】
上記の内容は、添付図面に示されるような本開示の例示的な実施形態の以下のより詳細な説明から明らかになるであろう。図面は、必ずしも縮尺するとは限られず、開示される実施形態を示すに際して代わりに強調が置かれる。
【図１Ａ】ディスパーザー内のディスク内の慣用のプレートセグメントの正面図である。
【図１Ｂ】図１Ａに示されるプレートセグメントの断面の側面図である。
【図１Ｃ】回転子ディスクおよび固定子ディスクがその中に据え付けられたディスパーザーの部分の断面の側面図である。
【図２Ａ】慣用の高ランプを備える歯を示すプレートセグメントの部分の側面図である。
【図２Ｂ】慣用の高ランプを備える歯を示すプレートセグメントの部分の正面図である。
【図３Ａ】慣用のダムを備える歯を示すプレートセグメントの部分の側面図である。
【図３Ｂ】慣用のダムを備える歯を示すプレートセグメントの部分の正面図である。
【図４Ａ】接続ブリッジを備える歯を有するプレートセグメントの部分の側面図である。
【図４Ｂ】接続ブリッジを備える歯を有するプレートセグメントの部分の正面図である。
【図５Ａ】接続ブリッジを備える歯を有する別のプレートセグメントの部分の側面図である。
【図５Ｂ】接続ブリッジを備える歯を有する別のプレートセグメントの部分の正面図である。
【図６Ａ】接続ブリッジを備える歯を備える別のプレートセグメントの側面図である。
【図６Ｂ】接続ブリッジを備える歯を備える別のプレートセグメントの正面図である。
【図７Ａ】異なる断面形状を有するブリッジを示すプレートセグメント上の歯の側面図である。
【図７Ｂ】異なる断面形状を有するブリッジを示すプレートセグメント上の歯の側面図である。
【図７Ｃ】異なる断面形状を有するブリッジを示すプレートセグメント上の歯の側面図である。
【図７Ｄ】異なる断面形状を有するブリッジを示すプレートセグメント上の歯の側面図である。
【図８Ａ】隣接する歯の間のブリッジの対を示すプレートセグメント上の歯の側面図である。
【図８Ｂ】隣接する歯の間のブリッジの対を示すプレートセグメント上の歯の正面図である。
【図９】描かれるディスパーザー歯の各々の第１の歯の側から延びるバットレスを有する２つの隣接する例示的なディスパーザー歯の斜視図である。
【図１０Ａ】角錐形状のバットレスを示す例示的なディスパーザー歯の斜視図である。
【図１０Ｂ】角錐形状のバットレスを示す例示的なディスパーザー歯の斜視図である。
【図１１Ａ】バットレスの当接面積はバットレスが当接する歯面の総面積よりも小さい、バットレスの異なる形状を示す例示的なディスパーザー歯の斜視図である。
【図１１Ｂ】バットレスの当接面積はバットレスが当接する歯面の総面積よりも小さい、バットレスの異なる形状を示す例示的なディスパーザー歯の斜視図である。
【図１１Ｃ】バットレスの当接面積はバットレスが当接する歯面の総面積よりも小さい、バットレスの異なる形状を示す例示的なディスパーザー歯の斜視図である。
【図１１Ｄ】バットレスの当接面積はバットレスが当接する歯面の総面積よりも小さい、バットレスの異なる形状を示す例示的なディスパーザー歯の斜視図である。
【図１２Ａ−１２Ｇ】例示的なディスパーザー歯の１つまたは複数の面から延びる例示的なバットレスを示す例示的なディスパーザー歯の側面図である。
【図１３Ａ−１３Ｄ】図１２のビューに垂直な側面図である。これらの図は、第１の歯面の総面積に対するバットレスの当接面積を示す。
【外国語明細書】
2020070538.tif 000031
2020070538.tif 000032
2020070538.tif 000033
2020070538.tif 000034
2020070538.tif 000035
2020070538.tif 000036
2020070538.tif 000037
2020070538.tif 000038
2020070538.tif 000039
2020070538.tif 000040
2020070538.tif 000041
2020070538.tif 000042
2020070538.tif 000043
2020070538.tif 000044
2020070538.tif 000045
2020070538.tif 000046
2020070538.tif 000047
2020070538.tif 000048
2020070538.tif 000049
2020070538.tif 000050
2020070538.tif 000051
2020070538.tif 000052
2020070538.tif 000053
2020070538.tif 000054
2020070538.tif 000055
2020070538.tif 000056
2020070538.tif 000057
【図１A】
2020070538.tif 000058
【図１B】
2020070538.tif 000059
【図１C】
2020070538.tif 000060
【図２A】
2020070538.tif 000061
【図２B】
2020070538.tif 000062
【図３A】
2020070538.tif 000063
【図３B】
2020070538.tif 000064
【図４A】
2020070538.tif 000065
【図４B】
2020070538.tif 000066
【図５A】
2020070538.tif 000067
【図５B】
2020070538.tif 000068
【図６A】
2020070538.tif 000069
【図６B】
2020070538.tif 000070
【図７A】
2020070538.tif 000071
【図７B】
2020070538.tif 000072
【図７C】
2020070538.tif 000073
【図７D】
2020070538.tif 000074
【図８A】
2020070538.tif 000075
【図８B】
2020070538.tif 000076
【図９】
2020070538.tif 000077
【図１０A】
2020070538.tif 000078
【図１０B】
2020070538.tif 000079
【図１１A】
2020070538.tif 000080
【図１１B】
2020070538.tif 000081
【図１１C】
2020070538.tif 000082
【図１１D】
2020070538.tif 000083
【図１２A〜図１２G】
2020070538.tif 000084
【図１３A〜図１３D】
2020070538.tif 000085